(57)【要約】【課題】消臭、抗菌性能を長く維持でき、用途に汎用性のある押出成形方法及び押出成形品を提供すること。【解決手段】消臭、抗菌（除菌）作用のある粉状の混合物組成成分とペレット状の合成樹脂材料とを押出成形機に入れ、加熱させて前記合成樹脂材料を溶融して前記混合物組成成分と混練りして、ゲル状態の棒状で押し出す（ＳＴ０１）。この場合、前記押出成形機にて混練りすることにより、高分子ポリマー間の隙間に、微粒子状の前記混合物組成成分が入って閉じ込められた状態となるため、また前記混合物組成成分は前記押出成形機にて混練りの際に必要とする熱に分解することもないから、高い消臭効果や、抗菌（除菌）効果が半永久的に持続できる。そして、この押し出された棒状の状態のまま、冷却装置の水の中に通して冷却して（ＳＴ０２）、形状を安定させ、切断機にて適宜のサイズに切断して（ＳＴ０３）、押出成形品である樹脂ペレットを作製する。【選択図】図１
2019030966.tif 000002
【特許請求の範囲】
【請求項１】
酸化銀、リン酸ジルコニウム、酸化亜鉛、１，２−ベンゾチアゾリン−３−オン、Ｎ，Ｎ−ジメチルアミノ−Ｎ’−フェニル−Ｎ’−（フルオロジクロロメチルチオ）スルホン、２−メトキシカルボニルアミノ−ベンゾイミダゾール、テブコナゾール、Ｎ−（フルオロジクロロメチルチオ）フタルイミド、２−プロペン酸ホモポリマーナトリウム塩を含む消臭、抗菌作用がある粉状の混合物組成成分とペレット状の合成樹脂材料とを押出成形機に入れて、所定の温度で加熱して、前記合成樹脂材料を溶融させて前記混合物組成成分と混練りして、ゲル状態の任意の形状にして押し出し、この押し出された後に、冷却して形状を安定させ、適宜のサイズに切断して、押出成形品を作製することを特徴とする押出成形方法。
【請求項２】
酸化銀、リン酸ジルコニウム、酸化亜鉛、１，２−ベンゾチアゾリン−３−オン、Ｎ，Ｎ−ジメチルアミノ−Ｎ’−フェニル−Ｎ’−（フルオロジクロロメチルチオ）スルホン、２−メトキシカルボニルアミノ−ベンゾイミダゾール、テブコナゾール、Ｎ−（フルオロジクロロメチルチオ）フタルイミド、２−プロペン酸ホモポリマーナトリウム塩を含む消臭、抗菌作用がある粉状の混合物組成成分とペレット状の合成樹脂材料とを押出成形機に入れて、所定の温度で加熱して、前記合成樹脂材料を溶融させて前記混合物組成成分と混練りして、ゲル状態の任意の形状にして押し出し、この押し出された後に、適宜のサイズに切断して、冷却して形状を安定させて、押出成形品を作製することを特徴とする押出成形方法。
【請求項３】
請求項１又は２に記載の押出成形方法により作製されたことを特徴とする押出成形品。
【請求項４】
請求項１又は２に記載の押出成形方法により作製されたものが合成繊維であることを特徴とする押出成形品。
【発明の詳細な説明】
【技術分野】
【０００１】
本発明は、押出成形方法及び押出成形品に関する。詳述すると、消臭性能、抗菌性能を長く維持でき、用途に汎用性のある押出成形方法及び押出成形品に関するものである。
【背景技術】
【０００２】
従来のアルコール除菌は、アルコールが一時的に菌を包みますが、アルコールは揮発性が高いために、一瞬で揮発してしまう。このため、一時的には除菌効果があるものの、数分後には菌が再び、付着してしまう。従って、残った菌や再付着した菌が２４時間後には、数十倍にも増殖してしまうという問題があります。また、従来、多く使用されるアルコールは有機溶剤のため、油脂成分を分解するので、肌などに触れるとダメージを与えます。更に、インフルエンザやノロウイルスのような脂質膜状構造を持たないウイルスにはアルコール除菌では効果が望めません。また、セレウス菌のような耐性の強い最近である芽胞菌に対しては、アルコール除菌では、効果がありません。
【０００３】
一方、メンテナンスが容易で細菌の繁殖抑制作用に優れた抗菌剤ユニットの取付構造を有する空気調和機が提案されている（特許文献１参照）。この技術によれば、空気調和機において、ドレンパンを取り外すことなく、抗菌剤ユニットの交換などのメンテナンスが可能となるものである。
【先行技術文献】
【特許文献】
【０００４】
【特許文献１】特許第４７７９３６４号公報
【発明の概要】
【発明が解決しようとする課題】
【０００５】
しかしながら、抗菌効果の持続性では、問題があるために、このようにメンテナンス面での配慮が必要となるものであります。
【０００６】
そこで、本発明は上記のような問題を解消するためになされたもので、消臭性能、抗菌性能を長く維持でき、用途に汎用性のある押出成形方法及び押出成形品を提供することを目的とする。
【課題を解決するための手段】
【０００７】
このため第１の押出成形方法に係る発明は、酸化銀、リン酸ジルコニウム、酸化亜鉛、１，２−ベンゾチアゾリン−３−オン、Ｎ，Ｎ−ジメチルアミノ−Ｎ’−フェニル−Ｎ’−（フルオロジクロロメチルチオ）スルホン、２−メトキシカルボニルアミノ−ベンゾイミダゾール、テブコナゾール、Ｎ−（フルオロジクロロメチルチオ）フタルイミド、２−プロペン酸ホモポリマーナトリウム塩を含む消臭、抗菌作用がある粉状の混合物組成成分とペレット状の合成樹脂材料とを押出成形機に入れて、所定の温度で加熱して、前記合成樹脂材料を溶融させて前記混合物組成成分と混練りして、ゲル状態の任意の形状にして押し出し、この押し出された後に、冷却して形状を安定させ、適宜のサイズに切断して、押出成形品を作製することを特徴とする。
【０００８】
また第２の押出成形方法に係る発明は、酸化銀、リン酸ジルコニウム、酸化亜鉛、１，２−ベンゾチアゾリン−３−オン、Ｎ，Ｎ−ジメチルアミノ−Ｎ’−フェニル−Ｎ’−（フルオロジクロロメチルチオ）スルホン、２−メトキシカルボニルアミノ−ベンゾイミダゾール、テブコナゾール、Ｎ−（フルオロジクロロメチルチオ）フタルイミド、２−プロペン酸ホモポリマーナトリウム塩を含む消臭、抗菌作用がある粉状の混合物組成成分とペレット状の合成樹脂材料とを押出成形機に入れて、所定の温度で加熱して、前記合成樹脂材料を溶融させて前記混合物組成成分と混練りして、ゲル状態の任意の形状にして押し出し、この押し出された後に、適宜のサイズに切断して、冷却して形状を安定させて、押出成形品を作製することを特徴とする。
【０００９】
更に第３の押出成形品に係る発明は、第１又は第２の発明に係る押出成形方法により作製されたことを特徴とする。
【００１０】
更に第４の押出成形品に係る発明は、第１又は第２の発明に係る押出成形方法により作製されたものが合成繊維であることを特徴とする。
【発明の効果】
【００１１】
以上のように、本発明によれば、消臭性能、抗菌性能を長く維持でき、用途に汎用性のある押出成形方法及び押出成形品を提供することができる。
【図面の簡単な説明】
【００１２】
【図１】押出成形方法の第１の実施形態のフローを示す図である。
【図２】押出成形方法の第２の実施形態のフローを示す図である。
【発明を実施するための形態】
【００１３】
以下、本発明の実施形態に係る押出成形方法及び押出成形品について説明する。先ず、樹脂ペレット成形のための押出成形機に入れる材料は、酸化銀、リン酸ジルコニウム、酸化亜鉛、１，２−ベンゾチアゾリン−３−オン、Ｎ，Ｎ−ジメチルアミノ−Ｎ’−フェニル−Ｎ’−（フルオロジクロロメチルチオ）スルホン、２−メトキシカルボニルアミノ−ベンゾイミダゾール、テブコナゾール、Ｎ−（フルオロジクロロメチルチオ）フタルイミド、２−プロペン酸ホモポリマーナトリウム塩を含む粉状の混合物組成成分を使用します。なお、この粉状の混合物組成成分は、例えばその粒径が５ミクロン（μｍ）程度の微粒子の状態である。
【００１４】
押出成形方法の第１の実施形態を示す第１図に示すように、この高い消臭、抗菌（除菌）作用のある粉状の混合物組成成分とペレット状の合成樹脂材料とを押出成形機のホッパーに入れる。そして、この押出成形機では、樹脂ペレットの前記合成樹脂材料の種類に応じて、例えば２００℃〜３００℃で加熱しながら、この合成樹脂材料を溶融して前記混合物組成成分と混練りして、押出成形機の内部に備えた金型を通してゲル状態の任意の形状、例えば棒状やシート状（本実施形態では、棒状）にして押し出す（ＳＴ０１）。
【００１５】
この場合、前述したように、前記押出成形機にて混練りすることにより、高分子ポリマー間の隙間に、微粒子状の前記混合物組成成分、即ち前記混合物組成成分の微粒子が入って閉じ込められた状態となるため、また前記混合物組成成分は前記押出成形機にて混練りの際に必要とする熱に分解することもないから、その高い消臭効果や、抗菌（除菌）効果が半永久的に持続できるものである。
【００１６】
なお、前記樹脂ペレットの合成樹脂材料の種類は、特に問わないが、例えばポリプロピレン、ポリエチレン、ＡＢＳ樹脂、ナイロン樹脂などの熱可塑性樹脂や、熱硬化性樹脂などが使用される。
【００１７】
そして、この押し出された棒状の状態のまま、冷却装置の水の中に通して冷却して（ＳＴ０２）、形状を安定させ、切断機にて適宜のサイズに切断して（ＳＴ０３）、押出成形品である樹脂ペレットを作製する。
【００１８】
即ち、前述したように、押出成形機での押出工程（ＳＴ０１）、冷却装置での冷却工程（ＳＴ０２）、切断機での切断工程（ＳＴ０３）を経て、押出成形品である樹脂ペレットを作製する。
【００１９】
次に、押出成形方法の第２の実施形態を示す第２図に基づいて、以下説明する。前述したように、前記押出成形機でゲル状態の棒状に押し出されたら（ＳＴ１１）、前記切断機にて適宜のサイズに切断し（ＳＴ１２）、前記冷却装置の水の中に通して冷却して（ＳＴ１３）押出成形品である前記樹脂ペレットを作製するようにしてもよい。
【００２０】
即ち、前述したように、押出成形機での押出工程（ＳＴ１１）、切断機での切断工程（ＳＴ１２）、冷却装置での冷却工程（ＳＴ１３）を経て、押出成形品である樹脂ペレットを作製する。
【００２１】
以上のようにして、高い消臭効果や、抗菌（除菌）効果が長く、半永久的に持続できる樹脂ペレットである押出成形品を作製することができる。この押出成形品である樹脂ペレットを利用した実用例について、以下説明する。
（実用例１）
以上のように作製された合成樹脂の前記樹脂ペレットを網に入れて、これを洗濯機の中に入れて衣類などの洗濯物を洗濯すると、この洗濯物は消臭、抗菌（除菌）効果のある清潔なものとなり、また乾燥器でそのまま乾燥しても、その効果は落ちず、屋外、屋内に干しても同様であり、雨の日など屋内で干した場合でも洗濯物自体の異様な臭いは発生しません。また、前記洗濯機の塵やカビによる臭いは取り除かれ、半永久に解消されます。
（実用例２）
前記樹脂ペレットを浴槽に入れることにより快適な入浴になります。即ち、体臭（老後の加齢臭等）等は解消され、また湿疹、かぶれ等も抗菌（除菌）作用で効果も期待でき、より良い入浴ができます、下水を含むお風呂場の臭いも解消され、カビなどの発生を防ぎ、多くの人が利用しても前述した効果は落ちません。また、湯垢が前記浴槽に付着しにくく、また水垢がタイルに付着しにくく、軽くモップで一拭きしますと、より効果的です。
【００２２】
また、トイレの水槽に前記樹脂ペレットを入れることで、水道水は消臭、抗菌（除菌）効果のある水になり、便器は清潔な消臭、抗菌（除菌）効果のある清潔なものとなります。更には、冷蔵庫の中に入れると、臭いは無くなります。
（実用例３）
前述したような前記樹脂ペレットを使用して作製した合成樹脂の成型品は、半永久的に消臭、抗菌（除菌）効果のある清潔な衛生面で良好な製品になります。
【００２３】
この合成樹脂の成型品としては、食器類、ＬＥＤのカバー、蛍光管、トイレの便座、靴の中敷き、浴槽、自動車の内装品、家電品の各種部品など、多岐に亘って利用できるものである。
【００２４】
なお、前述したペレット状の合成樹脂材料として、ポリエステル樹脂、ナイロン樹脂、アクリル樹脂などを使用して、これを第１又は第２の実施形態の押出成形方法で合成繊維を作製することもできる。
【００２５】
即ち、前述した粉状の前記混合物組成成分とポリエステル樹脂、ナイロン樹脂、アクリル樹脂などのペレット状の合成樹脂材料とを使用して、前記押出成形機でその内部に備えた金型を使用して糸状（ゲル状態の）に押し出して、冷却し（又は適宜の長さに切断し）、適宜の長さに切断して（又は冷却して）、合成繊維を作製する。
【００２６】
この場合、前記押出成形機にて混練りすることにより、高分子ポリマー間の隙間に、微粒子状の前記混合物組成成分、即ち前記混合物組成成分の微粒子が入って閉じ込められた状態となるため、また前記混合物組成成分は前記押出成形機にて混練りの際に必要とする熱に分解することもないから、その高い消臭効果や、抗菌（除菌）効果が半永久的に持続できるものである。
【００２７】
従って、この合成繊維を使用して作製した靴下等は消臭、抗菌（除菌）効果で、嫌な臭いは解消され、清潔で衛生面で良好なものとなり、また雑菌から出る水虫等にも固化を発揮します。また、同様に作製した、肌着、衣類は、汗から出る嫌な臭いも常に解消され衛生面に於いても常に快適な衣類になります。特に、体臭の気になる人には喜ばれる肌着、衣類になります。
【００２８】
以上本発明の実施態様について説明したが、上述の説明に基づいて当業者にとって種々の代表例、修正又は変形が可能であり、本発明はその趣旨を逸脱しない範囲で前述の種々の代表例、修正又は変形を包含するものである。
【符号の説明】
【００２９】
ＳＴ０１      押出成形機での押出工程
ＳＴ０２      冷却装置での冷却工程
ＳＴ０３      切断機での切断工程
ＳＴ１１      押出成形機での押出工程
ＳＴ１２      切断機での切断工程
ＳＴ１３      冷却装置での冷却工程
【図１】
2019030966.tif 000003
【図２】
2019030966.tif 000004